(57)【要約】      （修正有）【課題】ワイヤレス通信において、電力関係サブフィールドをもつ制御フレームを保護する。【解決手段】ワイヤレス通信装置は、１つまたは複数の電力関係サブフィールドと、１つまたは複数の電力関係サブフィールドに少なくとも部分的に基づいて計算された完全性検査値と、を備える制御フレームを生成するように構成された処理システムと、制御フレームを送信するように構成された送信機とを含む。電力管理（ＰＭ）サブフィールド、サービス期間終了（ＥＯＳＰ）サブフィールド、モアデータ（ＭＤ）サブフィールドまたはトラフィック識別子（ＴＩＤ）サブフィールドが、追加認証データ（ＡＡＤ）のグループに追加され、完全性検査値が、ＡＡＤのグループに基づいて計算される。【選択図】図６
2018050314.tif 000002
【特許請求の範囲】
【請求項１】
１つまたは複数の電力関係サブフィールドと、前記１つまたは複数の電力関係サブフィールドに少なくとも部分的に基づいて計算された完全性検査値とを備える制御フレームを生成するように構成された処理システムと、
前記制御フレームを送信するように構成された送信機とを備える、ワイヤレス通信のための装置。
【請求項２】
前記１つまたは複数の電力関係サブフィールドが、電力管理（ＰＭ）サブフィールド、サービス期間終了（ＥＯＳＰ）サブフィールド、モアデータ（ＭＤ）サブフィールド、またはトラフィック識別子（ＴＩＤ）サブフィールドのうちの少なくとも１つを備える、請求項１に記載の装置。
【請求項３】
前記処理システムが、前記１つまたは複数の電力関係サブフィールドを追加認証データ（ＡＡＤ）のグループに追加するように構成され、前記完全性検査値が、ＡＡＤの前記グループに基づいて計算される、請求項１に記載の装置。
【請求項４】
前記制御フレームが、前記１つまたは複数の電力関係サブフィールドを含むフレーム制御（ＦＣ）フィールドを備える、請求項１に記載の装置。
【請求項５】
前記制御フレームがヌル要求フレームを備える、請求項１に記載の装置。
【請求項６】
前記ヌル要求フレームが信号（ＳＩＧ）フィールドを備え、前記ＳＩＧフィールド中の肯定応答（ＡＣＫ）タイプサブフィールドが通常ＡＣＫを示し、前記ＳＩＧフィールド中のアグリゲーションサブフィールドがメディアアクセス制御（ＭＡＣ）プロトコルデータユニット（ＭＰＤＵ）アグリゲーションまたは無ＭＰＤＵアグリゲーションを示す、請求項５に記載の装置。
【請求項７】
ワイヤレス通信のための装置であって、
１つまたは複数の電力関係サブフィールドを備える制御フレームを受信するように構成された受信機と、
前記制御フレーム中で受信された完全性検査値と、前記１つまたは複数の電力関係サブフィールドに少なくとも部分的に基づいて前記装置によって計算された完全性検査値との比較に基づいて前記制御フレームの完全性検査を実行することと、
前記完全性検査が失敗した場合、前記制御フレームを廃棄することと
を行うように構成された処理システムとを備える、装置。
【請求項８】
送信機をさらに備え、ここにおいて、前記制御フレームがヌル要求フレームを備え、ここにおいて、前記送信機は、前記完全性検査が成功した場合、前記ヌル要求フレームに応答してヌル応答フレームを送信するように構成された、請求項７に記載の装置。
【請求項９】
前記ヌル応答フレームが信号（ＳＩＧ）フィールドを備え、前記ＳＩＧフィールド中の肯定応答（ＡＣＫ）タイプサブフィールドが無ＡＣＫを示し、前記ＳＩＧフィールド中のアグリゲーションサブフィールドがメディアアクセス制御（ＭＡＣ）プロトコルデータユニット（ＭＰＤＵ）アグリゲーションを示す、請求項８に記載の装置。
【請求項１０】
前記ヌル応答フレームが３２バイトを備える、請求項８に記載の装置。
【請求項１１】
前記ヌル応答フレームがヌル応答ＭＰＤＵと１つまたは複数のＭＰＤＵデリミタとを備える、請求項８に記載の装置。
【請求項１２】
前記ヌル応答ＭＰＤＵが、前記１つまたは複数の電力関係サブフィールドを含むフレーム制御（ＦＣ）フィールド、１つまたは複数のアドレスフィールド、シーケンス制御（ＳＣ）フィールド、メッセージ完全性検査（ＭＩＣ）フィールド、またはフレーム検査シーケンス（ＦＣＳ）フィールドのうちの少なくとも１つを備える、請求項１１に記載の装置。
【請求項１３】
前記ヌル応答ＭＰＤＵが、制御情報を搬送するフレーム本体（ＦＢ）フィールドを備える、請求項１１に記載の装置。
【請求項１４】
前記ヌル応答ＭＰＤＵが、前記１つまたは複数の電力関係サブフィールドを含む２バイトＦＣフィールドと、前記１つまたは複数のアドレスフィールドと、２バイトＳＣフィールドと、８バイトＭＩＣフィールドと、４バイトＦＣＳフィールドとを備える、請求項１１に記載の装置。
【請求項１５】
前記ＭＩＣフィールドが、前記１つまたは複数の電力関係サブフィールド、前記１つまたは複数のアドレスフィールド、または前記ＳＣフィールドのうちの少なくとも１つに少なくとも部分的に基づくＭＩＣ値を有する、請求項１２に記載の装置。
【請求項１６】
前記ヌル応答フレームが１４バイトを備え、前記１４バイトが、前記１つまたは複数の電力関係サブフィールドを含む２バイトフレーム制御（ＦＣ）フィールドと、２バイトシーケンス制御（ＳＣ）フィールドと、８バイト完全性検査値と、２バイトフレーム検査シーケンス（ＦＣＳ）とを備える、請求項８に記載の装置。
【請求項１７】
前記ヌル応答フレームが１４バイトを備え、前記１４バイトが、前記１つまたは複数の電力関係サブフィールドを含む２バイトフレーム制御（ＦＣ）フィールドと、２バイト識別子（ＩＤ）フィールドと、２バイトシーケンス制御（ＳＣ）フィールドと、４バイト完全性検査値と、４バイトフレーム検査シーケンス（ＦＣＳ）とを備える、請求項８に記載の装置。
【請求項１８】
１つまたは複数の電力関係サブフィールドと、前記１つまたは複数の電力関係サブフィールドに少なくとも部分的に基づいて計算された完全性検査値とを備える制御フレームを生成することと、
前記制御フレームを送信することとを備える、ワイヤレス通信のための方法。
【請求項１９】
前記１つまたは複数の電力関係サブフィールドが、電力管理（ＰＭ）サブフィールド、サービス期間終了（ＥＯＳＰ）サブフィールド、モアデータ（ＭＤ）サブフィールド、またはトラフィック識別子（ＴＩＤ）サブフィールドのうちの少なくとも１つを備える、請求項１８に記載の方法。
【請求項２０】
前記１つまたは複数の電力関係サブフィールドを追加認証データ（ＡＡＤ）のグループに追加することをさらに備え、ここにおいて、前記完全性検査値が、ＡＡＤの前記グループに基づいて計算される、請求項１８に記載の方法。
【請求項２１】
前記制御フレームがヌル要求フレームを備え、前記ヌル要求フレームが信号（ＳＩＧ）フィールドを備え、前記ＳＩＧフィールド中の肯定応答（ＡＣＫ）タイプサブフィールドが通常ＡＣＫを示し、前記ＳＩＧフィールド中のアグリゲーションサブフィールドがメディアアクセス制御（ＭＡＣ）プロトコルデータユニット（ＭＰＤＵ）アグリゲーションまたは無ＭＰＤＵを示す、請求項１８に記載の方法。
【請求項２２】
前記制御フレームが、前記１つまたは複数の電力関係サブフィールドを含むフレーム制御（ＦＣ）フィールドを備える、請求項１８に記載の方法。
【請求項２３】
装置によるワイヤレス通信のための方法であって、
１つまたは複数の電力関係サブフィールドを備える制御フレームを受信することと、
前記制御フレーム中で受信された完全性検査値と、前記１つまたは複数の電力関係サブフィールドに少なくとも部分的に基づいて前記装置によって計算された完全性検査値との比較に基づいて前記制御フレームの完全性検査を実行することと、
前記完全性検査が失敗した場合、前記制御フレームを廃棄することとを備える、方法。
【請求項２４】
前記制御フレームがヌル要求フレームを備え、前記方法は、前記完全性検査が成功した場合、前記ヌル要求フレームに応答してヌル応答フレームを送信することをさらに備える、請求項２３に記載の方法。
【請求項２５】
前記ヌル応答フレームが信号（ＳＩＧ）フィールドを備え、前記ＳＩＧフィールド中の肯定応答（ＡＣＫ）タイプサブフィールドが無ＡＣＫを示し、前記ＳＩＧフィールド中のアグリゲーションサブフィールドがメディアアクセス制御（ＭＡＣ）プロトコルデータユニット（ＭＰＤＵ）アグリゲーションを示す、請求項２４に記載の方法。
【請求項２６】
前記ヌル応答フレームが３２バイトを備える、請求項２４に記載の方法。
【請求項２７】
前記ヌル応答フレームがヌル応答メディアアクセス制御（ＭＡＣ）プロトコルデータユニット（ＭＰＤＵ）を備え、前記ヌル応答ＭＰＤＵが、前記１つまたは複数の電力関係サブフィールドを含むフレーム制御（ＦＣ）フィールドと、１つまたは複数のアドレスフィールドと、シーケンス制御（ＳＣ）フィールドと、メッセージ完全性検査（ＭＩＣ）フィールドと、フレーム検査シーケンス（ＦＣＳ）フィールドとを備え、前記ＭＩＣフィールドが、前記１つまたは複数の電力関係サブフィールドと、前記１つまたは複数のアドレスフィールドと、前記ＳＣフィールドとに少なくとも部分的に基づくＭＩＣ値を有する、請求項２４に記載の方法。
【請求項２８】
前記ＭＩＣフィールドが、前記１つまたは複数の電力関係サブフィールド、前記１つまたは複数のアドレスフィールド、または前記ＳＣフィールドのうちの少なくとも１つに少なくとも部分的に基づくＭＩＣ値を有する、請求項２７に記載の方法。
【請求項２９】
前記ヌル応答フレームが１４バイトを備え、前記１４バイトが、前記１つまたは複数の電力関係サブフィールドを含む２バイトフレーム制御（ＦＣ）フィールドと、２バイト識別子（ＩＤ）フィールドと、２バイトシーケンス制御（ＳＣ）フィールドと、４バイト完全性検査値と、４バイトフレーム検査シーケンス（ＦＣＳ）とを備える、請求項２４に記載の方法。
【請求項３０】
前記ヌル応答フレームが１４バイトを備え、前記１４バイトが、前記１つまたは複数の電力関係サブフィールドを含む２バイトフレーム制御（ＦＣ）フィールドと、２バイトシーケンス制御（ＳＣ）フィールドと、８バイト完全性検査値と、２バイトフレーム検査シーケンス（ＦＣＳ）とを備える、請求項２４に記載の方法。
【発明の詳細な説明】
【技術分野】
【０００１】
米国特許法第１１９条に基づく優先権の主張
[0001]本出願は、その全体が参照により本明細書に組み込まれる、２０１３年３月１５日に出願された米国仮特許出願第６１／７８８，２１６号の利益を主張する。
【０００２】
[0002]本開示のいくつかの態様は、一般にワイヤレス通信に関し、より詳細には、電力関係サブフィールド（power-related subfield）をもつ制御フレームを保護することに関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]より大きいカバレージおよび増加した通信範囲に対する要望に対処するために、様々な方式が開発されている。１つのそのような方式は、電気電子技術者協会（ＩＥＥＥ）８０２．１１ａｈタスクフォースによって開発されている（たとえば、米国では９０２〜９２８ＭＨｚ範囲中で動作している）サブ１ＧＨｚ周波数範囲である。この開発は、他のＩＥＥＥ８０２．１１グループよりも大きいワイヤレス範囲を有し、より低い障害損失を有する周波数範囲を利用する要望によって推進される。
【発明の概要】
【０００５】
[0005]本開示のいくつかの態様は、一般にワイヤレス通信に関し、より詳細には、電力関係サブフィールドをもつ制御フレームを保護することに関する。
【０００６】
[0006]本開示のいくつかの態様は、ワイヤレス通信のための装置を提供する。本装置は、一般に、１つまたは複数の電力関係サブフィールドと、１つまたは複数の電力関係サブフィールドに少なくとも部分的に基づいて計算された完全性検査値（integrity check value）とを備える制御フレームを生成するように構成された処理システムと、制御フレームを送信するように構成された送信機とを含む。
【０００７】
[0007]本開示のいくつかの態様は、ワイヤレス通信のための装置を提供する。本装置は、一般に、１つまたは複数の電力関係サブフィールドを備える制御フレームを受信するように構成された受信機と、制御フレーム中で受信された完全性検査値と、電力関係サブフィールドに少なくとも部分的に基づいて装置によって計算された完全性検査値との比較に基づいて制御フレームの完全性検査を実行することと、完全性検査が失敗した場合、制御フレームを廃棄することとを行うように構成された処理システムとを含む。
【０００８】
[0008]本開示のいくつかの態様は、ワイヤレス通信のための装置を提供する。本装置は、一般に、１つまたは複数の電力関係サブフィールドと、１つまたは複数の電力関係サブフィールドに少なくとも部分的に基づいて計算された完全性検査値とを備える制御フレームを生成するための手段と、制御フレームを送信するための手段とを含む。
【０００９】
[0009]本開示のいくつかの態様は、ワイヤレス通信のための装置を提供する。本装置は、一般に、１つまたは複数の電力関係サブフィールドを備える制御フレームを受信するための手段と、制御フレーム中で受信された完全性検査値と、電力関係サブフィールドに少なくとも部分的に基づいて装置によって計算された完全性検査値との比較に基づいて制御フレームの完全性検査を実行するための手段と、完全性検査が失敗した場合、制御フレームを廃棄するための手段とを含む。
【００１０】
[0010]本開示のいくつかの態様は、ワイヤレス通信のための方法を提供する。本方法は、一般に、１つまたは複数の電力関係サブフィールドと、１つまたは複数の電力関係サブフィールドに少なくとも部分的に基づいて計算された完全性検査値とを備える制御フレームを生成することと、制御フレームを送信することとを含む。
【００１１】
[0011]本開示のいくつかの態様は、装置によるワイヤレス通信のための方法を提供する。本方法は、一般に、１つまたは複数の電力関係サブフィールドを備える制御フレームを受信することと、制御フレーム中で受信された完全性検査値と、電力関係サブフィールドに少なくとも部分的に基づいて装置によって計算された完全性検査値との比較に基づいて制御フレームの完全性検査を実行することと、完全性検査が失敗した場合、制御フレームを廃棄することとを含む。
【００１２】
[0012]本開示のいくつかの態様は、ワイヤレス通信のためのコンピュータプログラム製品を提供する。本コンピュータプログラム製品は、一般に、命令を記憶したコンピュータ可読媒体を含み、命令は、１つまたは複数の電力関係サブフィールドと、１つまたは複数の電力関係サブフィールドに少なくとも部分的に基づいて計算された完全性検査値とを備える制御フレームを生成することと、制御フレームを送信することとを行うために装置によって実行可能である。
【００１３】
[0013]本開示のいくつかの態様は、ワイヤレス通信のためのコンピュータプログラム製品を提供する。本コンピュータプログラム製品は、一般に、命令を記憶したコンピュータ可読媒体を含み、命令は、１つまたは複数の電力関係サブフィールドを備える制御フレームを受信することと、制御フレーム中で受信された完全性検査値と、電力関係サブフィールドに少なくとも部分的に基づいて装置によって計算された完全性検査値との比較に基づいて制御フレームの完全性検査を実行することと、完全性検査が失敗した場合、制御フレームを廃棄することとを行うために装置によって実行可能である。
【００１４】
[0014]本開示のいくつかの態様はアクセスポイントを提供する。本アクセスポイントは、一般に、少なくとも１つのアンテナと、１つまたは複数の電力関係サブフィールドと、１つまたは複数の電力関係サブフィールドに少なくとも部分的に基づいて計算された完全性検査値とを備える制御フレームを生成するように構成された処理システムと、少なくとも１つのアンテナを介して制御フレームを送信するように構成された送信機とを含む。
【００１５】
[0015]本開示のいくつかの態様はワイヤレス局を提供する。本ワイヤレス局は、一般に、少なくとも１つのアンテナと、１つまたは複数の電力関係サブフィールドを備える制御フレームを少なくとも１つのアンテナを介して受信するように構成された受信機と、制御フレーム中で受信された完全性検査値と、電力関係サブフィールドに少なくとも部分的に基づいてワイヤレス局によって計算された完全性検査値との比較に基づいて制御フレームの完全性検査を実行することと、完全性検査が失敗した場合、制御フレームを廃棄することとを行うように構成された処理システムとを含む。
【００１６】
[0016]本開示の様々な態様および特徴について以下でさらに詳細に説明する。
【００１７】
[0017]本開示の上述の特徴が詳細に理解され得るように、添付の図面にその一部を示す態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なすべきではないことに留意されたい。
【図面の簡単な説明】
【００１８】
【図１】[0018]本開示のいくつかの態様による、例示的なワイヤレス通信ネットワークの図。
【図２】[0019]本開示のいくつかの態様による、例示的なアクセスポイントおよびユーザ端末のブロック図。
【図３】[0020]本開示のいくつかの態様による、例示的なワイヤレスデバイスのブロック図。
【図４】[0021]本開示のいくつかの態様による、ショートフレームの例示的なフレーム制御（ＦＣ）フィールドを示すテーブル。
【図５】[0022]本開示のいくつかの態様による、例示的な保護されたショートヌルフレームを示すテーブル。
【図６】[0023]本開示のいくつかの態様による、例示的な保護されたショートヌル要求／応答交換を示す図。
【図７Ａ】[0024]本開示のいくつかの態様による、例示的な保護されたショートヌル要求／応答交換を示す図。
【図７Ｂ】[0025]本開示のいくつかの態様による、例示的な１４バイトの保護されたショートヌル応答フレームを示す図。
【図８】[0026]本開示のいくつかの態様による、例示的な保護されたショート制御要求／応答交換を示す図。
【図９】本開示のいくつかの態様による、例示的な保護されたショート制御要求／応答交換を示す図。
【図１０Ａ】[0027]本開示のいくつかの態様による、制御フレームを送信するための例示的な動作を示す図。
【図１０Ｂ】[0028]図１０Ａに示された動作を実行することが可能な例示的な手段を示す図。
【図１１Ａ】[0029]本開示のいくつかの態様による、受信制御フレームの完全性検査を実行するための例示的な動作を示す図。
【図１１Ｂ】[0030]図１１Ａに示された動作を実行することが可能な例示的な手段を示す図。
【発明を実施するための形態】
【００１９】
[0031]認証された様式で制御フレームを確実に送信するために追加認証データ（ＡＡＤ）中に電力関係サブフィールドを含むショートフレーム構造のための技法および装置を本明細書で提供する。電力関係サブフィールドに基づいて管理完全性検査（ＭＩＣ）値が計算され得る。制御フレームが完全性検査に失敗した場合、フレームは、スプーフィングされたフレームであると見なされ、ドロップされる。
【００２０】
[0032]添付の図面を参照しながら本開示の様々な態様について以下でより十分に説明する。ただし、本開示は、多くの異なる形態で実施され得、本開示全体にわたって提示する任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わされるにせよ、本明細書で開示する本開示のいかなる態様をもカバーするものであることを、当業者は諒解されたい。たとえば、本明細書に記載する態様をいくつ使用しても、装置は実装され得、または方法は実施され得る。さらに、本開示の範囲は、本明細書に記載された本開示の様々な態様に加えてまたはそれら以外に、他の構造、機能、または構造および機能を使用して実施されるそのような装置または方法をカバーするものとする。本明細書で開示する本開示のいずれの態様も、請求項の１つまたは複数の要素によって実施され得ることを理解されたい。
【００２１】
[0033]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図および好適な態様についての以下の説明において示す。発明を実施するための形態および図面は、本開示を限定するものではなく説明するものにすぎず、本開示の範囲は添付の特許請求の範囲およびそれの均等物によって定義される。
【００２２】
例示的なワイヤレス通信システム
[0034]本明細書で説明する技法は、直交多重化方式に基づく通信システムを含む、様々なブロードバンドワイヤレス通信システムに使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用し得る。ＴＤＭＡシステムは、送信信号を異なるタイムスロットに分割することによって、複数のユーザ端末が同じ周波数チャネルを共有することを可能にし得、各タイムスロットは異なるユーザ端末に割り当てられる。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアは独立してデータで変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。
【００２３】
[0035]本明細書の教示は、様々なワイヤードまたはワイヤレス装置（たとえば、ノード）に組み込まれ得る（たとえば、その装置内に実装されるか、またはその装置によって実行され得る）。いくつかの態様では、本明細書の教示に従って実装されるワイヤレスノードはアクセスポイントまたはアクセス端末を備え得る。
【００２４】
[0036]アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらとして実装されるか、あるいはそれらとして知られ得る。
【００２５】
[0037]アクセス端末（「ＡＴ」）は、加入者局、加入者ユニット、移動局（ＭＳ）、リモート局、リモート端末、ユーザ端末（ＵＴ）、ユーザエージェント、ユーザデバイス、ユーザ機器（ＵＥ）、ユーザ局、または何らかの他の用語を備えるか、それらとして実装されるか、あるいはそれらとして知られ得る。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、タブレット、ポータブル通信デバイス、ポータブルコンピューティングデバイス（たとえば、個人情報端末）、エンターテインメントデバイス（たとえば、音楽もしくはビデオデバイス、または衛星ラジオ）、全地球測位システム（ＧＰＳ）デバイス、あるいはワイヤレスまたはワイヤード媒体を介して通信するように構成された他の好適なデバイスに組み込まれ得る。いくつかの態様では、ノードはワイヤレスノードである。そのようなワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００２６】
[0038]図１に、アクセスポイントとユーザ端末とをもつ多元接続多入力多出力（ＭＩＭＯ）システム１００を示す。簡単のために、図１にはただ１つのアクセスポイント１１０を示してある。アクセスポイントは、概して、ユーザ端末と通信する固定局であり、基地局または何らかの他の用語で呼ばれることもある。ユーザ端末は、固定でも移動でもよく、移動局、ワイヤレスデバイス、または何らかの他の用語で呼ばれることもある。アクセスポイント１１０は、ダウンリンクおよびアップリンク上で所与の瞬間において１つまたは複数のユーザ端末１２０と通信し得る。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアで通信し得る。システムコントローラ１３０が、アクセスポイントに結合し、アクセスポイントの調整および制御を行う。
【００２７】
[0039]以下の開示の部分では、空間分割多元接続（ＳＤＭＡ）によって通信することが可能なユーザ端末１２０について説明するが、いくつかの態様では、ユーザ端末１２０は、ＳＤＭＡをサポートしないいくつかのユーザ端末をも含み得る。したがって、そのような態様では、ＡＰ１１０は、ＳＤＭＡユーザ端末と非ＳＤＭＡユーザ端末の両方と通信するように構成され得る。この手法は、より新しいＳＤＭＡユーザ端末が適宜に導入されることを可能にしながら、より古いバージョンのユーザ端末（「レガシー」局）が企業に配備されたままであることを都合よく可能にして、それらの有効寿命を延長し得る。
【００２８】
[0040]システム１００は、ダウンリンクおよびアップリンク上でのデータ伝送のために複数の送信アンテナおよび複数の受信アンテナを採用する。アクセスポイント１１０は、Ｎap個のアンテナを装備し、ダウンリンク送信では多入力（ＭＩ）を表し、アップリンク送信では多出力（ＭＯ）を表す。Ｋ個の選択されたユーザ端末１２０のセットは、ダウンリンク送信では多出力をまとめて表し、アップリンク送信では多入力をまとめて表す。純粋なＳＤＭＡの場合、Ｋ個のユーザ端末のためのデータシンボルストリームが何らかの手段によってコード、周波数または時間において多重化されない場合、Ｎap≧Ｋ≧１が成り立つことが望まれる。データシンボルストリームがＴＤＭＡ技法、ＣＤＭＡを用いた異なるコードチャネル、ＯＦＤＭを用いたサブバンドの独立セットなどを使用して多重化され得る場合、ＫはＮapよりも大きくなり得る。各選択されたユーザ端末は、ユーザ固有データをアクセスポイントに送信し、および／またはアクセスポイントからユーザ固有データを受信する。概して、各選択されたユーザ端末は１つまたは複数のアンテナを装備し得る（すなわち、Ｎut≧１）。Ｋ個の選択されたユーザ端末は同じまたは異なる数のアンテナを有することができる。
【００２９】
[0041]ＳＤＭＡシステムは時分割複信（ＴＤＤ）システムまたは周波数分割複信（ＦＤＤ）システムであり得る。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、伝送のために単一のキャリアまたは複数のキャリアを利用し得る。各ユーザ端末は、（たとえば、コストを抑えるために）単一のアンテナを装備するか、または（たとえば、追加コストがサポートされ得る場合）複数のアンテナを装備し得る。送信／受信を異なるタイムスロットに分割し、各タイムスロットを異なるユーザ端末１２０に割り当てることによってユーザ端末１２０が同じ周波数チャネルを共有する場合、システム１００はＴＤＭＡシステムでもあり得る。
【００３０】
[0042]図２に、ＭＩＭＯシステム１００におけるアクセスポイント１１０と２つのユーザ端末１２０ｍおよび１２０ｘとのブロック図を示す。アクセスポイント１１０はＮt個のアンテナ２２４ａ〜２２４ｔを装備する。ユーザ端末１２０ｍはＮut,m個のアンテナ２５２ｍａ〜２５２ｍｕを装備し、ユーザ端末１２０ｘはＮut,x個のアンテナ２５２ｘａ〜２５２ｘｕを装備する。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用する「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎｕｐ個のユーザ端末がアップリンク上の同時送信のために選択され、Ｎｄｎ個のユーザ端末がダウンリンク上の同時送信のために選択され、ＮｕｐはＮｄｎに等しいことも等しくないこともあり、ＮｕｐおよびＮｄｎは、静的値であり得るか、またはスケジューリング間隔ごとに変化することができる。ビームステアリングまたは何らかの他の空間処理技法がアクセスポイントおよびユーザ端末において使用され得る。
【００３１】
[0043]アップリンク上で、アップリンク送信のために選択された各ユーザ端末１２０において、送信（ＴＸ）データプロセッサ２８８は、データソース２８６からトラフィックデータを受信し、コントローラ２８０から制御データを受信する。ＴＸデータプロセッサ２８８は、ユーザ端末のために選択されたレートに関連するコーディングおよび変調方式に基づいてユーザ端末のためにトラフィックデータを処理（たとえば、符号化、インターリーブ、および変調）し、データシンボルストリームを与える。ＴＸ空間プロセッサ２９０は、データシンボルストリームに対して空間処理を実行し、Ｎut,m個の送信シンボルストリームをＮut,m個のアンテナに与える。各送信機ユニット（ＴＭＴＲ）２５４は、アップリンク信号を生成するために、それぞれの送信シンボルストリームを受信し、処理（たとえば、アナログ変換、増幅、フィルタ処理、および周波数アップコンバート）する。Ｎut,m個の送信機ユニット２５４は、Ｎut,m個のアンテナ２５２からアクセスポイントへの送信のためのＮut,m個のアップリンク信号を与える。
【００３２】
[0044]Ｎｕｐ個のユーザ端末がアップリンク上の同時送信のためにスケジュールされ得る。これらのユーザ端末の各々は、それのデータシンボルストリームに対して空間処理を実行し、アップリンク上で送信シンボルストリームのそれのセットをアクセスポイントに送信する。
【００３３】
[0045]アクセスポイント１１０において、Ｎap個のアンテナ２２４ａ〜２２４ａｐは、アップリンク上で送信するすべてのＮｕｐ個のユーザ端末からアップリンク信号を受信する。各アンテナ２２４は、受信信号をそれぞれの受信機ユニット（ＲＣＶＲ）２２２に与える。各受信機ユニット２２２は、送信機ユニット２５４によって実行された処理を補足する処理を実行し、受信シンボルストリームを与える。ＲＸ空間プロセッサ２４０は、Ｎap個の受信機ユニット２２２からのＮap個の受信シンボルストリームに対して受信機空間処理を実行し、Ｎｕｐ個の復元アップリンクデータシンボルストリームを与える。受信機空間処理は、チャネル相関行列反転（ＣＣＭＩ）、最小平均２乗誤差（ＭＭＳＥ）、ソフト干渉消去（ＳＩＣ）、または何らかの他の技法に従って実行される。各復元アップリンクデータシンボルストリームは、それぞれのユーザ端末によって送信されたデータシンボルストリームの推定値である。ＲＸデータプロセッサ２４２は、復号データを得るために、そのストリームのために使用されたレートに応じて各復元アップリンクデータシンボルストリームを処理（たとえば、復調、デインターリーブ、および復号）する。各ユーザ端末の復号データは、記憶のためにデータシンク２４４に与えられ、および／またはさらなる処理のためにコントローラ２３０に与えられ得る。
【００３４】
[0046]ダウンリンク上で、アクセスポイント１１０において、ＴＸデータプロセッサ２１０が、ダウンリンク送信のためにスケジュールされたＮｄｎ個のユーザ端末のためのトラフィックデータをデータソース２０８から受信し、コントローラ２３０から制御データを受信し、場合によってはスケジューラ２３４から他のデータを受信する。様々なタイプのデータが異なるトランスポートチャネル上で送信され得る。ＴＸデータプロセッサ２１０は、各ユーザ端末のために選択されたレートに基づいてそのユーザ端末のトラフィックデータを処理（たとえば、符号化、インターリーブ、および変調）する。ＴＸデータプロセッサ２１０はＮｄｎ個のダウンリンクデータシンボルストリームをＮｄｎ個のユーザ端末に与える。ＴＸ空間プロセッサ２２０は、Ｎｄｎ個のダウンリンクデータシンボルストリームに対して（本開示で説明するプリコーディングまたはビームフォーミングなどの）空間処理を実行し、Ｎap個の送信シンボルストリームをＮap個のアンテナに与える。各送信機ユニット２２２は、ダウンリンク信号を生成するために、それぞれの送信シンボルストリームを受信し、処理する。Ｎap個のアンテナ２２４からユーザ端末への送信のためのＮap個のダウンリンク信号を与えるＮap個の送信機ユニット２２２。
【００３５】
[0047]各ユーザ端末１２０において、Ｎap個のアンテナ２５２はアクセスポイント１１０からＮap個のダウンリンク信号を受信する。各受信機ユニット２５４は、関連するアンテナ２５２からの受信信号を処理し、受信シンボルストリームを与える。ＲＸ空間プロセッサ２６０は、Ｎap個の受信機ユニット２５４からのＮap個の受信シンボルストリームに対して受信機空間処理を実行し、復元ダウンリンクデータシンボルストリームをユーザ端末に与える。受信機空間処理は、ＣＣＭＩ、ＭＭＳＥまたは何らかの他の技法に従って実行される。ＲＸデータプロセッサ２７０は、ユーザ端末のための復号データを取得するために、復元ダウンリンクデータシンボルストリームを処理（たとえば、復調、デインターリーブおよび復号）する。
【００３６】
[0048]各ユーザ端末１２０において、チャネル推定器２７８は、ダウンリンクチャネル応答を推定し、チャネル利得推定値、ＳＮＲ推定値、雑音分散などを含み得る、ダウンリンクチャネル推定値を与える。同様に、チャネル推定器２２８は、アップリンクチャネル応答を推定し、アップリンクチャネル推定値を与える。各ユーザ端末のコントローラ２８０は、一般に、そのユーザ端末のダウンリンクチャネル応答行列Ｈｄｎ，ｍに基づいてユーザ端末の空間フィルタ行列を導出する。コントローラ２３０は、有効アップリンクチャネル応答行列Ｈｕｐ，ｅｆｆに基づいてアクセスポイントの空間フィルタ行列を導出する。各ユーザ端末のコントローラ２８０は、フィードバック情報（たとえば、ダウンリンクおよび／またはアップリンク固有ベクトル、固有値、ＳＮＲ推定値など）をアクセスポイントに送り得る。コントローラ２３０およびコントローラ２８０はまた、それぞれ、アクセスポイント１１０およびユーザ端末１２０における様々な処理ユニットの動作を制御する。
【００３７】
[0049]図３に、ＭＩＭＯシステム１００内で採用され得るワイヤレスデバイス３０２において利用され得る様々な構成要素を示す。ワイヤレスデバイス３０２は、本明細書で説明する様々な方法を実装するように構成され得るデバイスの一例である。ワイヤレスデバイス３０２はアクセスポイント１１０またはユーザ端末１２０であり得る。
【００３８】
[0050]ワイヤレスデバイス３０２は、ワイヤレスデバイス３０２の動作を制御するプロセッサ３０４を含み得る。プロセッサ３０４は中央処理ユニット（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部は不揮発性ランダムアクセスメモリ（ＮＶＲＡＭ）をも含み得る。プロセッサ３０４は、一般に、メモリ３０６内に記憶されたプログラム命令に基づいて論理演算および算術演算を実行する。メモリ３０６中の命令は、本明細書で説明する方法を実装するように実行可能であり得る。
【００３９】
[0051]ワイヤレスデバイス３０２はまた、ワイヤレスデバイス３０２と遠隔ロケーションとの間のデータの送信および受信を可能にするために送信機３１０と受信機３１２とを含み得るハウジング３０８を含み得る。送信機３１０と受信機３１２とは組み合わされてトランシーバ３１４になり得る。単一または複数の送信アンテナ３１６が、ハウジング３０８に取り付けられ、トランシーバ３１４に電気的に結合され得る。ワイヤレスデバイス３０２はまた、複数の送信機と、複数の受信機と、複数のトランシーバとを含み得る（図示せず）。
【００４０】
[0052]ワイヤレスデバイス３０２はまた、トランシーバ３１４によって受信された信号のレベルを検出し、定量化するために使用され得る信号検出器３１８を含み得る。信号検出器３１８は、総エネルギー、シンボルごとのサブキャリア当たりのエネルギー、電力スペクトル密度および他の信号などの信号を検出し得る。ワイヤレスデバイス３０２はまた、信号を処理する際に使用するためのデジタル信号プロセッサ（ＤＳＰ）３２０を含み得る。
【００４１】
[0053]ワイヤレスデバイス３０２の様々な構成要素は、データバスに加えて、電力バスと、制御信号バスと、ステータス信号バスとを含み得る、バスシステム３２２によって互いに結合され得る。
【００４２】
保護された制御フレーム
[0054]本開示の態様は、制御フレームの追加認証データ（ＡＡＤ）フィールド中に含まれる電力管理関係サブフィールドを有する保護された制御フレームを与えるために採用され得る技法を提供する。ＡＡＤ中に電力管理関係サブフィールドを含むことは、メッセージ完全性検査（ＭＩＣ）フィールド値が電力管理関係サブフィールドに基づいて計算されることを可能にし、したがって、電力管理サブフィールドは、局とアクセスポイントとの間で認証された様式で確実に送信され得る。
【００４３】
[0055]本開示は以下の頭文字を使用し得る。
【００４４】
Ａ１．．．．．．．．．．．．アドレス１
Ａ２．．．．．．．．．．．．アドレス２
Ａ３．．．．．．．．．．．．アドレス３
Ａ４．．．．．．．．．．．．アドレス４
ＡＡＤ．．．．．．．．．．追加認証データ
ＣＢＣ―ＭＡＣ．．暗号ブロック連鎖メッセージ認証コード
ＣＣＭＰ．．．．．．．．ＣＢＣ−ＭＡＣプロトコルを用いたカウンタモード
ＣＴＲ．．．．．．．．．．カウンタモード
ＤＳ．．．．．．．．．．．．配信システム
ＥＯＳＰ．．．．．．．．サービス期間終了
ＦＢ．．．．．．．．．．．．フレーム本体
ＦＣ．．．．．．．．．．．．フレーム制御
ＦＣＳ．．．．．．．．．．フレーム検査シーケンス
ＩＤ．．．．．．．．．．．．識別子
ＭＡＣ．．．．．．．．．．メディアアクセス制御
ＭＤ．．．．．．．．．．．．モアデータ
ＭＩＣ．．．．．．．．．．メッセージ完全性検査
ＭＰＤＵ．．．．．．．．ＭＡＣプロトコルデータユニット
ＰＨＹ．．．．．．．．．．物理レイヤ
ＰＭ．．．．．．．．．．．．電力管理
ＰＳ−Ｐｏｌｌ．．省電力ポール
ＰＳＤＵ．．．．．．．．ＰＨＹサービスデータユニット
ＰＶ．．．．．．．．．．．．プロトコル値
ＳＣ．．．．．．．．．．．．シーケンス制御
ＳＩＤ．．．．．．．．．．ショート識別子
ＳＩＧ．．．．．．．．．．信号フィールド
ＳＴＡ．．．．．．．．．．局
ＴＩＤ．．．．．．．．．．トラフィック識別子
[0056]フレームのコンテンツを保護するために、現在、従来のユニキャストおよびブロードキャストフレームにおいてＭＩＣが使用されている。「ショートフレーム」と呼ばれるいくつかのフレームはプロトコルバージョン（ＰＶ）１を使用する。ショートフレームは、たとえば、ショートフレームが、持続時間フィールドを有さない、異なるＭＡＣフレームを有するなどという点で従来のフレームとは異なる。
【００４５】
[0057]ＡＡＤは、ＭＩＣによって保護されることが望まれるすべてのフィールドおよびサブフィールドを用いて送信機および受信機内で内部的に生成されたフィールドである。ＭＩＣは、フレームが、保護されたフィールドの変更されたコンテンツとともに送られることがないことを保証する。ＭＩＣ値は、したがって、ＡＡＤおよびセキュリティキー中に含まれるすべてのフィールドの値の結果である。ＭＩＣ値はフレームに一意に一致させられ、何かが変化した場合、ＭＩＣ値は受信機においてＭＩＣ生成器に一致しない。
【００４６】
[0058]例示的なシナリオでは、局（ＳＴＡ）はアクセスポイント（ＡＰ）に情報を送り得る。ＳＴＡは、ＳＴＡがスリープモードに入る（たとえば、ＳＴＡが電力管理（ＰＭ）ビットを１に設定する）ことをＡＰに告げる情報を送り得る。しかしながら、現在、いくつかの他のＳＴＡは、「スプーフィングされた」フレームを、それが元のＳＴＡからのものであるかのようにＡＰに送り得、ＡＰは、フレームが元のＳＴＡからのものであるのか、スプーフィングされたフレームであるのかを見分けることができない。これは、現在、データショートフレームのみが定義されており、制御フレームが定義されていないからである。８０２．１１制御フレームは暗号で保護されず、再試行フィールド、ＰＭサブフィールド、サービス期間終了（ＥＯＳＰ）サブフィールド、モアデータ（ＭＤ）サブフィールド、トラフィック識別子（ＴＩＤ）サブフィールドなど、ＭＡＣヘッダのいくつかのフィールドも暗号で保護されない。これらのフィールドは、現在、ＡＡＤ中に含まれない。これは、そのようなフレームまたはフレームフィールドが、場合によっては不要な影響とともに、攻撃者によってスプーフィングされ得ることを意味する。
【００４７】
[0059]したがって、必要なものは、制御フレームを保護するための手法である。８０２．１１ａｈにおいて定義されているショートフレームにセキュアな制御フレームを追加するための技法および装置を本明細書で提供する。ショートＭＡＣヘッダのいくつかのフィールドが、それらがＭＩＣフィールドによって保護されるように、ＣＢＣ／ＭＡＣプロトコル（ＣＣＭＰ）ＡＡＤを用いたカウンタモードに追加され得る。プロトコルバージョン（ＰＶ）フィールドおよびタイプフィールドなど、フレーム制御（ＦＣ）フィールドの他のサブフィールドは、通常、すでにＡＡＤのグループ中に含まれる。
【００４８】
[0060]図４は、本開示のいくつかの態様による、保護されたショートフレームの例示的なＦＣフィールドを示すテーブル４００である。図４に示されているように、１６ビットＦＣフィールドは、２ビットＰＶサブフィールドと、４ビットタイプサブフィールドと、１ビット配信システム（ＤＳ）サブフィールドと、１ビットモアフラグサブフィールドと、１ビットＰＭサブフィールドと、１ビットＭＤサブフィールドと、１ビットの保護されたサブフィールドと、１ビットＥＯＳＰサブフィールドと、３ビットＴＩＤサブフィールドと、予約済みビットとを含み得る。テーブル４００に示されているように、ＦＣフィールドのサブフィールドの各々は、予約済みビットを除いてＡＡＤ中に含まれ得る。
【００４９】
[0061]いくつかの態様によれば、データをもたず、ＦＣフィールドのみをもつフレームが使用され得る。いくつかの態様では、保護されたショートヌルフレームが定義され得る。図５は、本開示のいくつかの態様による、例示的な保護されたショートヌルフレームを示すテーブル５００である。図５に示されているように、２４バイトの保護されたショートヌルフレームは、合計２４バイトについて、２バイトＦＣフィールドと、２バイトの第１のアドレス（Ａ１）フィールドと、６バイトの第２のアドレス（Ａ２）フィールドと、９バイトＭＩＣフィールドと、４バイトＦＣＳフィールドとを有し得る。図５に示されているように、一般に送信および受信のために送信元宛先を示すために使用される第３および第４のアドレス（Ａ３およびＡ４）フィールドは含まれないことがある。態様では、ＣＣＭＰフィールドは、シーケンス制御（ＳＣ）フィールドと一致すると仮定され得、削減または削除され得る。態様では、フレーム本体（ＦＢ）フィールドは空であり得る。いくつかの態様では、Ａ１フィールドとＡ２フィールドの順序は反転され得、Ａ２フィールドは２バイトを有し得、Ａ１フィールドは６バイトを有し得る。
【００５０】
[0062]いくつかの態様によれば、局（ＳＴＡ）によってアクセスポイント（ＡＰ）に送信された保護されたショートヌルフレームに対する応答はまた、第１のショートヌルフレームがトリガとして機能し、第２のショートヌルフレームが、トラフィックがバッファされたかどうかを示す肯定応答（ＡＣＫ）フレームとして機能するような、保護されたショートヌルフレームであり得る。たとえば、第２のショートヌルフレームＡＣＫは、トラフィックがバッファされた場合、（たとえば、より多くのトラフィックがバッファ中にあることを示す）ＥＯＳＰ＝０を含み得、トラフィックがバッファされない場合、（たとえば、サービス期間終了を示す）ＥＯＳＰ＝１を含み得る。要求と応答は同じフレームであり得るが、ヌルフレームのこの交換はヌル要求／応答交換と呼ばれることがある。
【００５１】
[0063]ＰＳポール／ＡＣＫ交換は、バッファデータを要求するための従来の非保護手法である。ヌル要求／応答保護ショートヌルフレーム交換は、トリガとして働くヌルフレームがＰＳポールフレームと同様である（たとえば、既存のＰＳポールフレームは、トリガフレームとして働くことができる既存のＱｏＳヌルフレームよりも短いが、ショート保護ヌルフレームは可能な最も短い長さを有する）ので、ＰＳポール／ＡＣＫ交換に取って代わり得る。
【００５２】
[0064]図６に、本開示のいくつかの態様による、例示的な保護されたショートヌル要求／応答交換６００を示す。図６に示されているように、保護されたショートヌル要求フレーム６０２はトリガとして送信され得、保護されたショートヌル応答フレーム６０４はＡＣＫとして送られ得る。図６に示されているように、送信請求する保護されたショートヌル要求フレーム６０２は、（たとえば、１４バイト応答がエクスプテクトされることを意味する、通常ＡＣＫを示す）２に設定され得る、８０２．１１ａｈフレームの物理レイヤ（ＰＨＹ）ヘッダ中にある、信号（ＳＩＧ）フィールド中の２ビットＡＣＫタイプサブフィールドを含み得る。送信請求する保護されたショートヌル要求フレーム６０２はまた、（たとえば、ＰＳＤＵが、ＭＰＤＵデリミタで開始し、３２バイト応答を予想することを意味する、アグリゲートＭＡＣプロトコルデータユニット（Ａ−ＭＰＤＵ）を示す）１に設定され得る、ＳＩＧフィールド中のアグリゲーションサブフィールドを含み得る。
【００５３】
[0065]態様では、（たとえば、ＰＨＹレイヤからＭＡＣレイヤに渡された）保護されたショートヌル要求ＰＳＤＵは、合計２８バイトについて４バイトＭＰＤＵデリミタと２４バイトの保護されたショートヌル要求ＭＰＤＵとを含み得る。ＰＳＤＵは０バイトのサブフレームパディングを含み得る。態様では、２４バイトの保護されたショートヌル要求ＭＰＤＵは、合計２４バイトについて、２バイトＦＣフィールドと、２バイトＡ１フィールドと、６バイトＡ２フィールドと、２バイトＳＣフィールドと、８バイトＭＩＣフィールドと、４バイトＦＣＳフィールドとを含み得る。
【００５４】
[0066]態様では、保護されたショートヌル応答フレーム６０４は、保護されたショートヌル要求フレーム６０２のショートフレーム間隔（ＳＩＦＳ）内に送信され得る。保護されたショートヌル応答フレーム６０４は、ＳＩＧフィールド中の（たとえば、無ＡＣＫを示す）ＡＣＫタイプ＝０および（たとえば、アグリゲーションを示す）アグリゲーション＝１とともに送られ得る。保護されたショートヌル応答フレーム６０４は４バイトＭＰＤＵデリミタで開始し得、フレームが、ＡＣＫタイプが２（通常ＡＣＫ）であり、アグリゲーション＝１（ＭＰＤＵアグリゲーション）であるとき、ＳＴＡによる予想される長さである、３２バイト長を有することを保証するために、追加のＭＰＤＵデリミタが追加され得る。態様では、ＭＰＤＵデリミタはフレームの開始または終了にあり得る。
【００５５】
[0067]図６に示されているように、保護されたショートヌル応答ＰＳＤＵは、ＳＴＡによって予想される合計３２バイトについて、４バイトＭＰＤＵデリミタと、２４バイトの保護されたショートヌル応答ＭＰＤＵと、別の４バイトＭＰＤＵデリミタ（Ｌｅｎ＝０）とを含み得る。いくつかの態様では、第２のＭＰＤＵデリミタは第１のＭＰＤＵデリミタの直後に位置し得る。２４バイトの保護されたショートヌル応答ＭＰＤＵは、Ａ１フィールドとＡ２フィールドとが交換され得る（６バイトＡ１フィールドと２バイトＡ２フィールド）ことを除いて、２４バイトの保護されたショートヌル要求ＭＰＤＵと同じフィールドを含み得る。いくつかの態様では、ショートヌル要求ＭＰＤＵは６バイトＡ１フィールドと２バイトＡ２フィールドとを含み得、ショートヌル応答ＭＰＤＵは２バイトＡ１フィールドと６バイトＡ２フィールドとを含み得る。
【００５６】
[0068]図７Ａに、本開示のいくつかの態様による、例示的な保護されたショートヌル要求／応答交換７００を示す。いくつかの態様では、送信請求する保護されたショートヌル要求フレーム７０２は、ＳＩＧフィールド中のＡＣＫタイプ２（通常ＡＣＫ）およびアグリゲーション＝０（無ＭＰＤＵアグリゲーション）を使用する。この場合、予想される応答は２４バイトの代わりに１４バイトの長さを有する。図７Ａに示されているように、保護されたショートヌル要求ＰＳＤＵは、合計２４バイトについて２４バイトの保護するショートヌル要求のみを含み得る。保護されたショートヌル要求ＭＰＤＵは、ＡＣＫタイプ＝２、アグリゲーション＝１の場合と同じであり得る。
【００５７】
[0069]図７Ａに示されているように、保護されたショートヌル応答ＰＳＤＵは、１４バイトの保護されたショートヌル応答ＭＰＤＵのみを含み得る。１４バイトの保護されたショートヌル応答ＭＰＤＵは、２バイトＦＣフィールドと、２バイトＳＣフィールドと、８バイトＭＩＣと、２バイトＦＣＳとを含み得る。いくつかの態様では、１４バイトの保護されたショートヌル応答フレーム７０４は、いくつかのショートカットを使用して考案され得る。たとえば、ショート識別子（ＳＩＤ）のみが含まれ、フルＭＡＣアドレスは含まれないことがあり、ＭＩＣは部分的にのみ含まれ得、ＦＣＳは完全に省略され得る。
【００５８】
[0070]図７Ｂに、本開示のいくつかの態様による、例示的な代替の１４バイトの保護されたショートヌル応答フレーム７０４を示す。態様では、ショートヌル応答ＭＰＤＵは、２バイトＦＣフィールドと、２バイトＳＣフィールドと、６バイトＭＩＣフィールドと、４バイトＦＣＳフィールドとを含み得る。代替的に、ショートヌル応答ＭＰＤＵは、２バイトＦＣフィールドと、２バイトＩＤフィールドと、２バイトＳＣフィールドと、４バイトＭＩＣフィールドと、４バイトＦＣＳフィールドとを含み得る。
【００５９】
[0071]いくつかの態様によれば、実装を簡略化するために、ＦＣフィールド中の電力関係ビットはショートヌル要求／応答フレーム以外のショートフレーム上に確保され得る。
【００６０】
[0072]図８に、本開示のいくつかの態様による、例示的な保護されたショート制御要求／応答交換８００を示す。図８に示されているように、保護されたショート制御要求フレーム８０２は、ＳＩＧフィールド中のＡＣＫタイプ＝２（通常ＡＣＫ）およびアグリゲーション＝１（Ａ−ＭＰＤＵ、予想される３２バイト応答）で定義され得る。保護されたショート制御要求ＰＳＤＵは、合計３２バイトについて、４バイトＭＰＤＵデリミタと、２６バイトの保護されたショート制御要求ＭＰＤＵと、２バイトＭＰＤＵサブフレームパディングとを含み得る。保護されたショート制御要求ＭＰＤＵは、ＳＣフィールドの後に２バイトＦＢフィールドが追加された、保護されたショートヌル要求サブフレームと同じフィールドを含み得る。ＦＢフィールドは、ＰＭサブフィールド、ＭＤサブフィールド、ＥＯＳＰサブフィールド、ＴＩＤサブフィールドなど、制御関係情報を含んでいることがある。この場合、これらのサブフィールドはＦＣフィールドから省略され得る。
【００６１】
[0073]図８に示されているように、保護されたショート制御応答フレーム８０４は、ＳＩＧフィールド中のＡＣＫタイプ＝０（無ＡＣＫ）およびアグリゲーション＝０（無Ａ−ＭＰＤＵ）を含み得る。保護されたショート制御応答ＰＳＤＵは、３２バイトの保護されたショート制御応答ＭＰＤＵを含み得る。３２バイトの保護されたショート制御応答ＭＰＤＵは、合計３２バイトについて、２バイトＦＣフィールドと、６バイトＡ１フィールドと、２バイトＡ２フィールドと、２バイトＳＣフィールドと、８バイトＦＢフィールドと、８バイトＭＩＣフィールドと、４バイトＦＣＳフィールドとを含み得る。ＦＢフィールドは、ＰＭサブフィールド、ＭＤサブフィールド、ＥＯＳＰサブフィールド、ＴＩＤサブフィールドなど、制御関係情報を含んでいることがある。この場合、これらのサブフィールドはＦＣフィールドから省略され得る。
【００６２】
[0074]図９に、本開示のいくつかの態様による、例示的な代替の保護されたショート制御要求／応答交換９００を示す。図９に示されているように、保護されたショート制御応答フレーム９０２は、ＳＩＧフィールド中のＡＣＫタイプ＝２（通常ＡＣＫ０およびアグリゲーション＝１（Ａ−ＭＰＤＵ、予想される３２バイト応答）で定義され得る。保護されたショート制御応答ＰＳＤＵは、２６バイトの保護されたショート制御応答ＭＰＤＵを含み得る。２６バイトの保護されたショート制御応答ＭＰＤＵは、保護されたショート制御要求フレーム８０２と同じフィールドと、ＦＢフィールドとを含み得る。
【００６３】
[0075]図９に示されているように、保護されたショート制御応答フレーム９０４は、ショート制御応答フレーム８０４と同様に、ＳＩＧフィールド中のＡＣＫタイプ＝０（無ＡＣＫ）およびアグリゲーション＝０（無Ａ−ＭＰＤＵ）を含み得る。しかしながら、保護されたショート制御応答ＰＳＤＵは、１４バイトの保護されたショート制御応答ＭＰＤＵのみを含む。
【００６４】
[0076]いくつかの態様によれば、保護されたショート制御応答は、保護されたショート制御要求の１つのＳＩＦＳ内に送られ得る。
【００６５】
[0077]図１０Ａは、本開示のいくつかの態様による、ワイヤレス通信のための例示的な動作１０００Ａの流れ図である。動作１０００Ａは、たとえば、装置（たとえば、図２中で参照したアクセスポイント１１０など）によって実行され得る。動作１０００Ａは、１００２Ａにおいて、１つまたは複数の電力関係サブフィールドと、１つまたは複数の電力関係サブフィールドに少なくとも部分的に基づいて計算された完全性検査値とを備える制御フレームを生成することによって開始し得る。たとえば、制御フレームは、ＰＭサブフィールド、ＥＯＳＰサブフィールド、ＭＤサブフィールド、またはＴＩＤサブフィールドのうちの少なくとも１つを含み得る。電力関係サブフィールドは、ＡＡＤ中に含まれ、ＭＩＣによって保護され得る。いくつかの態様では、制御フレームは、電力関係サブフィールドを含むフレーム制御（ＦＣ）フィールドを含む。
【００６６】
[0078]１００４Ａにおいて、ＡＰ１１０は、たとえば、制御フレームをユーザ端末１２０に送信し得る。いくつかの態様によれば、ＡＰは１つまたは複数の電力関係サブフィールドを追加認証データ（ＡＡＤ）のグループに追加し得る。この場合、完全性検査値は、ＡＡＤのグループに基づいて計算され得る。
【００６７】
[0079]いくつかの態様によれば、制御フレームはヌル要求フレームであり得る。ヌル要求フレームは信号（ＳＩＧ）フィールドを含み得、ここにおいて、ＳＩＧフィールド中の肯定応答（ＡＣＫ）タイプサブフィールドは通常ＡＣＫを示し、ここにおいて、ＳＩＧフィールド中のアグリゲーションサブフィールドはメディアアクセス制御（ＭＡＣ）プロトコルデータユニット（ＭＰＤＵ）アグリゲーションを示す。他の態様の場合、ヌル要求フレームはＳＩＧフィールドを含み、ここにおいて、ＳＩＧフィールド中のＡＣＫタイプサブフィールドは通常ＡＣＫを示し、ここにおいて、ＳＩＧフィールド中のアグリゲーションサブフィールドは無ＭＰＤＵアグリゲーションを示す。
【００６８】
[0080]図１１Ａは、本開示のいくつかの態様による、ワイヤレス通信のための例示的な動作１１００Ａの流れ図である。動作１１００Ａは、たとえば、ワイヤレス局（ＳＴＡ）（たとえば、図２中で参照したユーザ端末１２０など）によって実行され得る。したがって、動作１１００Ａは、図１０Ａに示されているものと相補関係にあると見なされ得る。
【００６９】
[0081]動作１１００Ａは、１１０２Ａにおいて、１つまたは複数の電力関係サブフィールドを備える制御フレームを受信することによって開始し得る。
【００７０】
[0082]１１０４Ａにおいて、ＳＴＡは、制御フレーム中で受信された完全性検査値と、電力関係サブフィールドに少なくとも部分的に基づいてＳＴＡによって計算された完全性検査値との比較に基づいて制御フレームの完全性検査を実行し得る。
【００７１】
[0083]１１０６Ａにおいて、ＳＴＡは、完全性検査が失敗した場合、制御フレームを廃棄し得る。
【００７２】
[0084]いくつかの態様によれば、制御フレームはヌル要求フレームであり得る。そのような場合、動作１１００Ａは、ＳＴＡが、完全性検査が成功した場合、ヌル要求フレームに応答してヌル応答フレームを送信することをさらに伴い得る。
【００７３】
[0085]いくつかの態様によれば、ヌル応答フレームは信号（ＳＩＧ）フィールドを含み、ここにおいて、ＳＩＧフィールド中の肯定応答（ＡＣＫ）タイプサブフィールドは無ＡＣＫを示し、ここにおいて、ＳＩＧフィールド中のアグリゲーションサブフィールドはメディアアクセス制御（ＭＡＣ）プロトコルデータユニット（ＭＰＤＵ）アグリゲーションを示す。ヌル応答フレームは３２バイトの長さを有し得る。いくつかの態様では、ヌル応答フレームはヌル応答ＭＰＤＵと１つまたは複数のＭＰＤＵデリミタとを備える。ヌル応答ＭＰＤＵは、１つまたは複数の電力関係サブフィールドを有するフレーム制御（ＦＣ）フィールドと、１つまたは複数のアドレスフィールドと、シーケンス制御（ＳＣ）フィールドと、メッセージ完全性検査（ＭＩＣ）フィールドと、フレーム検査シーケンス（ＦＣＳ）フィールドとを含み得る。いくつかの態様では、ヌル応答ＭＰＤＵは、制御情報を搬送するフレーム本体（ＦＢ）フィールドを含む。いくつかの態様では、ヌル応答ＭＰＤＵは、１つまたは複数の電力関係サブフィールドを含む２バイトＦＣフィールドと、１つまたは複数のアドレスフィールドと、２バイトＳＣフィールドと、８バイトＭＩＣフィールドと、４バイトＦＣＳフィールドとを備える。いくつかの態様では、ＭＩＣフィールドは、１つまたは複数の電力関係サブフィールドと、１つまたは複数のアドレスフィールドと、ＳＣフィールドとに少なくとも部分的に基づくＭＩＣ値を有する。
【００７４】
[0086]いくつかの態様によれば、ヌル応答フレームは１４バイトを備える。いくつかの態様では、ヌル応答フレームは、１つまたは複数の電力関係サブフィールドを含む２バイトフレーム制御（ＦＣ）フィールドと、２バイトシーケンス制御（ＳＣ）フィールドと、８バイト完全性検査値と、２バイトフレーム検査シーケンス（ＦＣＳ）とを備える。他の態様では、ヌル応答フレームは、１つまたは複数の電力関係サブフィールドを含む２バイトＦＣフィールドと、２バイトＩＤフィールドと、２バイトＳＣフィールドと、４バイト完全性検査値と、４バイトＦＣＳとを備える。
【００７５】
[0087]上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。たとえば、図１０および図１１に示されている動作１０００Ａおよび動作１１００Ａは、それぞれ、図１０Ｂおよび図１１Ｂに示されている手段１０００Ｂおよび手段１１００Ｂに対応する。
【００７６】
[0088]たとえば、送信するための手段は、図２に示されたアクセスポイント１１０の送信機（たとえば、送信機ユニット２２２）および／または（１つまたは複数の）アンテナ２２４、図２に示されたユーザ端末１２０の送信機ユニット２５４および／または（１つまたは複数の）アンテナ２５２、または図３に示された送信機３１０および／または（１つまたは複数の）アンテナ３１６を備え得る。受信するための手段は、図２に示されたアクセスポイント１１０の受信機（たとえば、受信機ユニット２２２）および／または（１つまたは複数の）アンテナ２２４、図２に示されたユーザ端末１２０の受信機ユニット２５４および／または（１つまたは複数の）アンテナ２５２、または図３に示された受信機３１２および／または（１つまたは複数の）アンテナ３１６を備え得る。フレームを処理するための手段、フレームを決定するための手段、フレームを生成するための手段、フレームを追加するための手段、フレームを廃棄するための手段、または完全性検査を実行するための手段は、図２に示されたアクセスポイント１１０のＲＸデータプロセッサ２４２、ＴＸデータプロセッサ２１０、および／またはコントローラ２３０、図２に示されたユーザ端末１２０のＲＸデータプロセッサ２７０、ＴＸデータプロセッサ２８８、および／またはコントローラ２８０、または図３に描かれたプロセッサ３０４および／またはＤＳＰ３２０など、１つまたは複数のプロセッサを含み得る処理システムを備え得る。
【００７７】
[0089]本明細書で使用する「決定すること」という用語は、多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【００７８】
[0090]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【００７９】
[0091]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８０】
[0092]本開示に関連して説明した方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。使用され得る記憶媒体のいくつかの例としては、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサと一体であり得る。
【００８１】
[0093]本明細書で開示した方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく変更され得る。
【００８２】
[0094]説明した機能は、ハードウェア、ソフトウェア、ファームウェア、またはそれらの任意の組合せで実装され得る。ハードウェアで実装した場合、例示的なハードウェア構成はワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹ層の信号処理機能を実装するために使用され得る。ユーザ端末１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路などの様々な他の回路をリンクし得るが、それらは当技術分野でよく知られており、したがってこれ以上説明しない。
【００８３】
[0095]プロセッサは、機械可読媒体に記憶されたソフトウェアの実行を含む、バスおよび一般的な処理を管理することを担当し得る。プロセッサは、１つまたは複数の汎用および／または専用プロセッサを用いて実装され得る。例としては、マイクロプロセッサ、マイクロコントローラ、ＤＳＰプロセッサ、およびソフトウェアを実行することができる他の回路がある。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体はコンピュータプログラム製品において実施され得る。コンピュータプログラム製品はパッケージング材料を備え得る。
【００８４】
[0096]ハードウェア実装形態では、機械可読媒体は、プロセッサとは別個の処理システムの一部であり得る。しかしながら、当業者なら容易に理解するように、機械可読媒体またはその任意の部分は処理システムの外部にあり得る。例として、機械可読媒体は、すべてバスインターフェースを介してプロセッサによってアクセスされ得る、伝送線路、データによって変調された搬送波、および／またはワイヤレスノードとは別個のコンピュータ製品を含み得る。代替的に、または追加として、機械可読媒体またはその任意の部分は、キャッシュおよび／または汎用レジスタファイルがそうであり得るように、プロセッサに統合され得る。
【００８５】
[0097]処理システムは、すべて外部バスアーキテクチャを介して他のサポート回路と互いにリンクされる、プロセッサ機能を提供する１つまたは複数のマイクロプロセッサと、機械可読媒体の少なくとも一部を提供する外部メモリとをもつ汎用処理システムとして構成され得る。代替的に、処理システムは、プロセッサをもつＡＳＩＣ（特定用途向け集積回路）と、バスインターフェースと、アクセス端末）の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の好適な回路、または本開示全体にわたって説明した様々な機能を実行することができる回路の任意の組合せを用いて、実装され得る。当業者なら、特定の適用例と、全体的なシステムに課される全体的な設計制約とに応じて、どのようにしたら処理システムについて説明した機能を最も良く実装し得るかを理解されよう。
【００８６】
[0098]機械可読媒体はいくつかのソフトウェアモジュールを備え得る。ソフトウェアモジュールは、プロセッサによって実行されたときに、処理システムに様々な機能を実行させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行したときにプロセッサによって実装されることが理解されよう。
【００８７】
[0099]ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は、一時的なコンピュータ可読媒体（たとえば、信号）を備え得る。上記の組合せもコンピュータ可読媒体の範囲内に含まれるべきである。
【００８８】
[0100]したがって、いくつかの態様は、本明細書で提示した動作を実行するためのコンピュータプログラム製品を備え得る。たとえば、そのようなコンピュータプログラム製品は、本明細書で説明した動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【００８９】
[0101]さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに提供するための任意の他の好適な技法が利用され得る。
【００９０】
[0102]特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
【図１】
2018050314.tif 000003
【図２】
2018050314.tif 000004
【図３】
2018050314.tif 000005
【図４】
2018050314.tif 000006
【図５】
2018050314.tif 000007
【図６】
2018050314.tif 000008
【図７Ａ】
2018050314.tif 000009
【図７Ｂ】
2018050314.tif 000010
【図８】
2018050314.tif 000011
【図９】
2018050314.tif 000012
【図１０Ａ】
2018050314.tif 000013
【図１０Ｂ】
2018050314.tif 000014
【図１１Ａ】
2018050314.tif 000015
【図１１Ｂ】
2018050314.tif 000016
【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
１つまたは複数のサブフィールドを備える制御フレームを取得するように構成されたインターフェースと、
前記制御フレーム中で取得された完全性検査値と、前記１つまたは複数のサブフィールドに少なくとも部分的に基づいて前記装置によって計算された完全性検査値との比較に基づいて前記制御フレームの完全性検査を実行することと、
前記完全性検査が失敗した場合、前記制御フレームを廃棄することと
を行うように構成された処理システムとを備える、装置。
【請求項２】
前記制御フレームがヌル要求フレームを備え、ここにおいて、前記処理システムは、前記完全性検査が成功した場合、前記ヌル要求フレームに応答して送信のためにヌル応答フレームを出力するようにさらに構成された、請求項１に記載の装置。
【請求項３】
前記ヌル応答フレームが信号（ＳＩＧ）フィールドを備え、前記ＳＩＧフィールド中の肯定応答（ＡＣＫ）タイプサブフィールドが無ＡＣＫを示し、前記ＳＩＧフィールド中のアグリゲーションサブフィールドがメディアアクセス制御（ＭＡＣ）プロトコルデータユニット（ＭＰＤＵ）アグリゲーションを示す、請求項２に記載の装置。
【請求項４】
前記ヌル応答フレームが３２バイトを備える、請求項２に記載の装置。
【請求項５】
前記ヌル応答フレームがヌル応答ＭＰＤＵと１つまたは複数のＭＰＤＵデリミタとを備える、請求項２に記載の装置。
【請求項６】
前記ヌル応答ＭＰＤＵが、前記１つまたは複数のサブフィールドを含むフレーム制御（ＦＣ）フィールド、１つまたは複数のアドレスフィールド、シーケンス制御（ＳＣ）フィールド、メッセージ完全性検査（ＭＩＣ）フィールド、またはフレーム検査シーケンス（ＦＣＳ）フィールドのうちの少なくとも１つを備える、請求項５に記載の装置。
【請求項７】
前記ヌル応答ＭＰＤＵが、制御情報を搬送するフレーム本体（ＦＢ）フィールドを備える、請求項５に記載の装置。
【請求項８】
前記ヌル応答ＭＰＤＵが、前記１つまたは複数のサブフィールドを含む２バイトＦＣフィールドと、１つまたは複数のアドレスフィールドと、２バイトＳＣフィールドと、８バイトＭＩＣフィールドと、４バイトＦＣＳフィールドとを備える、請求項５に記載の装置。
【請求項９】
前記ＭＩＣフィールドが、前記１つまたは複数のサブフィールド、前記１つまたは複数のアドレスフィールド、または前記ＳＣフィールドのうちの少なくとも１つに少なくとも部分的に基づくＭＩＣ値を有する、請求項６に記載の装置。
【請求項１０】
前記ヌル応答フレームが１４バイトを備え、前記１４バイトが、前記１つまたは複数のサブフィールドを含む２バイトフレーム制御（ＦＣ）フィールドと、２バイトシーケンス制御（ＳＣ）フィールドと、８バイト完全性検査値と、２バイトフレーム検査シーケンス（ＦＣＳ）とを備える、請求項２に記載の装置。
【請求項１１】
前記ヌル応答フレームが１４バイトを備え、前記１４バイトが、前記１つまたは複数のサブフィールドを含む２バイトフレーム制御（ＦＣ）フィールドと、２バイト識別子（ＩＤ）フィールドと、２バイトシーケンス制御（ＳＣ）フィールドと、４バイト完全性検査値と、４バイトフレーム検査シーケンス（ＦＣＳ）とを備える、請求項２に記載の装置。
【請求項１２】
装置によるワイヤレス通信のための方法であって、
１つまたは複数のサブフィールドを備える制御フレームを取得することと、
前記制御フレーム中で取得された完全性検査値と、前記１つまたは複数のサブフィールドに少なくとも部分的に基づいて前記装置によって計算された完全性検査値との比較に基づいて前記制御フレームの完全性検査を実行することと、
前記完全性検査が失敗した場合、前記制御フレームを廃棄することとを備える、方法。
【請求項１３】
前記制御フレームがヌル要求フレームを備え、前記方法は、前記完全性検査が成功した場合、前記ヌル要求フレームに応答して送信のためにヌル応答フレームを出力することをさらに備える、請求項１２に記載の方法。
【請求項１４】
前記ヌル応答フレームが信号（ＳＩＧ）フィールドを備え、前記ＳＩＧフィールド中の肯定応答（ＡＣＫ）タイプサブフィールドが無ＡＣＫを示し、前記ＳＩＧフィールド中のアグリゲーションサブフィールドがメディアアクセス制御（ＭＡＣ）プロトコルデータユニット（ＭＰＤＵ）アグリゲーションを示す、請求項１３に記載の方法。
【請求項１５】
前記ヌル応答フレームが３２バイトを備える、請求項１３に記載の方法。
【請求項１６】
前記ヌル応答フレームがヌル応答メディアアクセス制御（ＭＡＣ）プロトコルデータユニット（ＭＰＤＵ）を備え、前記ヌル応答ＭＰＤＵが、前記１つまたは複数のサブフィールドを含むフレーム制御（ＦＣ）フィールドと、１つまたは複数のアドレスフィールドと、シーケンス制御（ＳＣ）フィールドと、メッセージ完全性検査（ＭＩＣ）フィールドと、フレーム検査シーケンス（ＦＣＳ）フィールドとを備え、前記ＭＩＣフィールドが、前記１つまたは複数のサブフィールドと、前記１つまたは複数のアドレスフィールドと、前記ＳＣフィールドとに少なくとも部分的に基づくＭＩＣ値を有する、請求項１３に記載の方法。
【請求項１７】
前記ＭＩＣフィールドが、前記１つまたは複数のサブフィールド、前記１つまたは複数のアドレスフィールド、または前記ＳＣフィールドのうちの少なくとも１つに少なくとも部分的に基づくＭＩＣ値を有する、請求項１６に記載の方法。
【請求項１８】
前記ヌル応答フレームが１４バイトを備え、前記１４バイトが、前記１つまたは複数のサブフィールドを含む２バイトフレーム制御（ＦＣ）フィールドと、２バイト識別子（ＩＤ）フィールドと、２バイトシーケンス制御（ＳＣ）フィールドと、４バイト完全性検査値と、４バイトフレーム検査シーケンス（ＦＣＳ）とを備える、請求項１３に記載の方法。
【請求項１９】
前記ヌル応答フレームが１４バイトを備え、前記１４バイトが、前記１つまたは複数のサブフィールドを含む２バイトフレーム制御（ＦＣ）フィールドと、２バイトシーケンス制御（ＳＣ）フィールドと、８バイト完全性検査値と、２バイトフレーム検査シーケンス（ＦＣＳ）とを備える、請求項１３に記載の方法。
【請求項２０】
ワイヤレス通信のための局であって、
１つまたは複数のサブフィールドを備える制御フレームを受信するように構成された受信機と、
前記制御フレーム中で受信された完全性検査値と、前記１つまたは複数のサブフィールドに少なくとも部分的に基づいて前記局によって計算された完全性検査値との比較に基づいて前記制御フレームの完全性検査を実行することと、
前記完全性検査が失敗した場合、前記制御フレームを廃棄することと
を行うように構成された処理システムとを備える、局。
【手続補正２】
【補正対象書類名】明細書
【補正対象項目名】００９０
【補正方法】変更
【補正の内容】
【００９０】
[0102]特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
以下に、本願の出願当初の特許請求の範囲に記載された発明を付記する。
［Ｃ１］
１つまたは複数の電力関係サブフィールドと、前記１つまたは複数の電力関係サブフィールドに少なくとも部分的に基づいて計算された完全性検査値とを備える制御フレームを生成するように構成された処理システムと、
前記制御フレームを送信するように構成された送信機とを備える、ワイヤレス通信のための装置。
［Ｃ２］
前記１つまたは複数の電力関係サブフィールドが、電力管理（ＰＭ）サブフィールド、サービス期間終了（ＥＯＳＰ）サブフィールド、モアデータ（ＭＤ）サブフィールド、またはトラフィック識別子（ＴＩＤ）サブフィールドのうちの少なくとも１つを備える、Ｃ１に記載の装置。
［Ｃ３］
前記処理システムが、前記１つまたは複数の電力関係サブフィールドを追加認証データ（ＡＡＤ）のグループに追加するように構成され、前記完全性検査値が、ＡＡＤの前記グループに基づいて計算される、Ｃ１に記載の装置。
［Ｃ４］
前記制御フレームが、前記１つまたは複数の電力関係サブフィールドを含むフレーム制御（ＦＣ）フィールドを備える、Ｃ１に記載の装置。
［Ｃ５］
前記制御フレームがヌル要求フレームを備える、Ｃ１に記載の装置。
［Ｃ６］
前記ヌル要求フレームが信号（ＳＩＧ）フィールドを備え、前記ＳＩＧフィールド中の肯定応答（ＡＣＫ）タイプサブフィールドが通常ＡＣＫを示し、前記ＳＩＧフィールド中のアグリゲーションサブフィールドがメディアアクセス制御（ＭＡＣ）プロトコルデータユニット（ＭＰＤＵ）アグリゲーションまたは無ＭＰＤＵアグリゲーションを示す、Ｃ５に記載の装置。
［Ｃ７］
ワイヤレス通信のための装置であって、
１つまたは複数の電力関係サブフィールドを備える制御フレームを受信するように構成された受信機と、
前記制御フレーム中で受信された完全性検査値と、前記１つまたは複数の電力関係サブフィールドに少なくとも部分的に基づいて前記装置によって計算された完全性検査値との比較に基づいて前記制御フレームの完全性検査を実行することと、
前記完全性検査が失敗した場合、前記制御フレームを廃棄することと
を行うように構成された処理システムとを備える、装置。
［Ｃ８］
送信機をさらに備え、ここにおいて、前記制御フレームがヌル要求フレームを備え、ここにおいて、前記送信機は、前記完全性検査が成功した場合、前記ヌル要求フレームに応答してヌル応答フレームを送信するように構成された、Ｃ７に記載の装置。
［Ｃ９］
前記ヌル応答フレームが信号（ＳＩＧ）フィールドを備え、前記ＳＩＧフィールド中の肯定応答（ＡＣＫ）タイプサブフィールドが無ＡＣＫを示し、前記ＳＩＧフィールド中のアグリゲーションサブフィールドがメディアアクセス制御（ＭＡＣ）プロトコルデータユニット（ＭＰＤＵ）アグリゲーションを示す、Ｃ８に記載の装置。
［Ｃ１０］
前記ヌル応答フレームが３２バイトを備える、Ｃ８に記載の装置。
［Ｃ１１］
前記ヌル応答フレームがヌル応答ＭＰＤＵと１つまたは複数のＭＰＤＵデリミタとを備える、Ｃ８に記載の装置。
［Ｃ１２］
前記ヌル応答ＭＰＤＵが、前記１つまたは複数の電力関係サブフィールドを含むフレーム制御（ＦＣ）フィールド、１つまたは複数のアドレスフィールド、シーケンス制御（ＳＣ）フィールド、メッセージ完全性検査（ＭＩＣ）フィールド、またはフレーム検査シーケンス（ＦＣＳ）フィールドのうちの少なくとも１つを備える、Ｃ１１に記載の装置。
［Ｃ１３］
前記ヌル応答ＭＰＤＵが、制御情報を搬送するフレーム本体（ＦＢ）フィールドを備える、Ｃ１１に記載の装置。
［Ｃ１４］
前記ヌル応答ＭＰＤＵが、前記１つまたは複数の電力関係サブフィールドを含む２バイトＦＣフィールドと、前記１つまたは複数のアドレスフィールドと、２バイトＳＣフィールドと、８バイトＭＩＣフィールドと、４バイトＦＣＳフィールドとを備える、Ｃ１１に記載の装置。
［Ｃ１５］
前記ＭＩＣフィールドが、前記１つまたは複数の電力関係サブフィールド、前記１つまたは複数のアドレスフィールド、または前記ＳＣフィールドのうちの少なくとも１つに少なくとも部分的に基づくＭＩＣ値を有する、Ｃ１２に記載の装置。
［Ｃ１６］
前記ヌル応答フレームが１４バイトを備え、前記１４バイトが、前記１つまたは複数の電力関係サブフィールドを含む２バイトフレーム制御（ＦＣ）フィールドと、２バイトシーケンス制御（ＳＣ）フィールドと、８バイト完全性検査値と、２バイトフレーム検査シーケンス（ＦＣＳ）とを備える、Ｃ８に記載の装置。
［Ｃ１７］
前記ヌル応答フレームが１４バイトを備え、前記１４バイトが、前記１つまたは複数の電力関係サブフィールドを含む２バイトフレーム制御（ＦＣ）フィールドと、２バイト識別子（ＩＤ）フィールドと、２バイトシーケンス制御（ＳＣ）フィールドと、４バイト完全性検査値と、４バイトフレーム検査シーケンス（ＦＣＳ）とを備える、Ｃ８に記載の装置。
［Ｃ１８］
１つまたは複数の電力関係サブフィールドと、前記１つまたは複数の電力関係サブフィールドに少なくとも部分的に基づいて計算された完全性検査値とを備える制御フレームを生成することと、
前記制御フレームを送信することとを備える、ワイヤレス通信のための方法。
［Ｃ１９］
前記１つまたは複数の電力関係サブフィールドが、電力管理（ＰＭ）サブフィールド、サービス期間終了（ＥＯＳＰ）サブフィールド、モアデータ（ＭＤ）サブフィールド、またはトラフィック識別子（ＴＩＤ）サブフィールドのうちの少なくとも１つを備える、Ｃ１８に記載の方法。
［Ｃ２０］
前記１つまたは複数の電力関係サブフィールドを追加認証データ（ＡＡＤ）のグループに追加することをさらに備え、ここにおいて、前記完全性検査値が、ＡＡＤの前記グループに基づいて計算される、Ｃ１８に記載の方法。
［Ｃ２１］
前記制御フレームがヌル要求フレームを備え、前記ヌル要求フレームが信号（ＳＩＧ）フィールドを備え、前記ＳＩＧフィールド中の肯定応答（ＡＣＫ）タイプサブフィールドが通常ＡＣＫを示し、前記ＳＩＧフィールド中のアグリゲーションサブフィールドがメディアアクセス制御（ＭＡＣ）プロトコルデータユニット（ＭＰＤＵ）アグリゲーションまたは無ＭＰＤＵを示す、Ｃ１８に記載の方法。
［Ｃ２２］
前記制御フレームが、前記１つまたは複数の電力関係サブフィールドを含むフレーム制御（ＦＣ）フィールドを備える、Ｃ１８に記載の方法。
［Ｃ２３］
装置によるワイヤレス通信のための方法であって、
１つまたは複数の電力関係サブフィールドを備える制御フレームを受信することと、
前記制御フレーム中で受信された完全性検査値と、前記１つまたは複数の電力関係サブフィールドに少なくとも部分的に基づいて前記装置によって計算された完全性検査値との比較に基づいて前記制御フレームの完全性検査を実行することと、
前記完全性検査が失敗した場合、前記制御フレームを廃棄することとを備える、方法。
［Ｃ２４］
前記制御フレームがヌル要求フレームを備え、前記方法は、前記完全性検査が成功した場合、前記ヌル要求フレームに応答してヌル応答フレームを送信することをさらに備える、Ｃ２３に記載の方法。
［Ｃ２５］
前記ヌル応答フレームが信号（ＳＩＧ）フィールドを備え、前記ＳＩＧフィールド中の肯定応答（ＡＣＫ）タイプサブフィールドが無ＡＣＫを示し、前記ＳＩＧフィールド中のアグリゲーションサブフィールドがメディアアクセス制御（ＭＡＣ）プロトコルデータユニット（ＭＰＤＵ）アグリゲーションを示す、Ｃ２４に記載の方法。
［Ｃ２６］
前記ヌル応答フレームが３２バイトを備える、Ｃ２４に記載の方法。
［Ｃ２７］
前記ヌル応答フレームがヌル応答メディアアクセス制御（ＭＡＣ）プロトコルデータユニット（ＭＰＤＵ）を備え、前記ヌル応答ＭＰＤＵが、前記１つまたは複数の電力関係サブフィールドを含むフレーム制御（ＦＣ）フィールドと、１つまたは複数のアドレスフィールドと、シーケンス制御（ＳＣ）フィールドと、メッセージ完全性検査（ＭＩＣ）フィールドと、フレーム検査シーケンス（ＦＣＳ）フィールドとを備え、前記ＭＩＣフィールドが、前記１つまたは複数の電力関係サブフィールドと、前記１つまたは複数のアドレスフィールドと、前記ＳＣフィールドとに少なくとも部分的に基づくＭＩＣ値を有する、Ｃ２４に記載の方法。
［Ｃ２８］
前記ＭＩＣフィールドが、前記１つまたは複数の電力関係サブフィールド、前記１つまたは複数のアドレスフィールド、または前記ＳＣフィールドのうちの少なくとも１つに少なくとも部分的に基づくＭＩＣ値を有する、Ｃ２７に記載の方法。
［Ｃ２９］
前記ヌル応答フレームが１４バイトを備え、前記１４バイトが、前記１つまたは複数の電力関係サブフィールドを含む２バイトフレーム制御（ＦＣ）フィールドと、２バイト識別子（ＩＤ）フィールドと、２バイトシーケンス制御（ＳＣ）フィールドと、４バイト完全性検査値と、４バイトフレーム検査シーケンス（ＦＣＳ）とを備える、Ｃ２４に記載の方法。
［Ｃ３０］
前記ヌル応答フレームが１４バイトを備え、前記１４バイトが、前記１つまたは複数の電力関係サブフィールドを含む２バイトフレーム制御（ＦＣ）フィールドと、２バイトシーケンス制御（ＳＣ）フィールドと、８バイト完全性検査値と、２バイトフレーム検査シーケンス（ＦＣＳ）とを備える、Ｃ２４に記載の方法。
【外国語明細書】
2018050314000001.pdf